(57)【要約】【課題】ユーザが変更した種々のズーム倍率よる画像を確認しながら撮影を遂行する際に消費される電力を低減することを可能とする。【解決手段】（Ａ）の矢示Ｐ１に示すように、ユーザがズーム操作を規定の時間以上一時停止させたときのレンズ位置に対応する光学ズーム倍率が「×３（３倍）」であったとすると、同図（Ｂ）に示すように、第１サブ表示エリア４０１に倍率３倍の電子ズーム画像ＤＺ３を表示する。同様に、矢示Ｐ２に示すように、ズームレンズが５倍に対応するレンズ位置に移動したときにズーム操作を規定の時間以上一時停止させた場合は、第２サブ表示エリア４０２に倍率５倍の電子ズーム画像ＤＺ５を表示する。矢示Ｐ３に示すように、ズームレンズが７倍に対応するレンズ位置に移動したときに、ズームボタンの操作をやめてズーム操作を一時停止させた場合には、第３サブ表示エリア４０３に倍率７倍の電子ズーム画像ＤＺ７を表示する。【選択図】図５
2011077862.tif 000002
【特許請求の範囲】
【請求項１】
画像を撮影して、撮影した画像を表す画像データを得る撮影手段と、
ズームレンズを移動させることにより、前記撮影手段が撮影する画像のズーム倍率を変化させる光学ズーム手段と、
前記ズームレンズが停止した際における当該ズームレンズのレンズ位置に対応するズーム倍率を取得する第１の倍率取得手段と、
前記第１の倍率取得手段により取得されたズーム倍率に従い、前記撮影手段の撮影により得られた画像データに電子ズーム処理を施すことにより、電子ズーム画像データを生成する第１の電子ズーム手段と、
前記第１の電子ズーム手段により生成された前記電子ズーム画像データが表す電子ズーム画像を画面に表示する第１の表示制御手段とを備える
ことを特徴とする撮影装置。
【請求項２】
前記第１の表示制御手段は、前記電子ズーム画像とともに、前記撮影手段により得られた画像データが表すライブビュー画像を前記画面に表示する
ことを特徴とする請求項１記載の撮影装置。
【請求項３】
ユーザによる所定操作を検知する検知手段をさらに備え、
前記光学ズーム手段は、前記検知手段による前記所定操作の検知に応答して、前記ズームレンズを移動させ、
前記第１の倍率取得手段は、前記検知手段より前記所定操作が検知されない状態となったときにおける、前記ズームレンズのレンズ位置に対応するズーム倍率を取得する
ことを特徴とする請求項１又は２記載の撮影装置。
【請求項４】
前記第１の倍率取得手段は、前記検知手段より前記所定操作が検知されない状態となってから規定の時間が経過したときにおける、前記ズームレンズのレンズ位置に対応するズーム倍率を取得する
ことを特徴とする請求項３記載の撮影装置。
【請求項５】
操作に応答してズーム倍率を指定する倍率指定手段を更に備え、
前記光学ズーム手段は、前記倍率指定手段により指定されたズーム倍率に対応する目標レンズ位置に前記ズームレンズを移動させる
ことを特徴とする請求項１から４にいずれか記載の撮影装置。
【請求項６】
前記光学ズーム手段が前記目標レンズ位置へ移動している状態において、現在の前記ズームレンズのレンズ位置に対応するズーム倍率を取得する第２の倍率取得手段と、
前記第２の倍率取得手段により取得されたズーム倍率と、前記目標レンズ位置に対応するズーム倍率との間を分割したズーム倍率を算出する倍率算出手段と、
前記倍率算出手段により算出されたズーム倍率に従い、前記撮影手段の撮影により得られた画像データに電子ズーム処理を施すことにより、電子ズーム画像を表す電子ズーム画像データを生成する第２の電子ズーム手段と、
前記第２の電子ズーム手段により生成された前記電子ズーム画像データが表す電子ズーム画像を前記画面に表示する第２の表示制御手段とを備える
ことを特徴とする請求項１から５にいずれか記載の撮影装置。
【請求項７】
前記撮影手段が撮影する画像のズーム倍率を最小にするレンズ位置を下限位置と呼ぶととともに、前記撮影手段が撮影する画像のズーム倍率を最大にするレンズ位置を上限位置と呼んだ場合、
前記倍率算出手段は、前記下限位置又は上限位置とに対応するズーム倍率と、前記目標レンズ位置に対応するズーム倍率との間を分割したズーム倍率を、さらに算出する
ことを特徴とする請求項６記載の撮影装置。
【請求項８】
画像を撮影して、撮影した画像を表す画像データを得る撮影手段と、ズームレンズを移動させることにより、前記撮影手段が撮影する画像のズーム倍率を変化させる光学ズーム手段とを備える撮像装置が有するコンピュータを、
前記ズームレンズが停止した際における当該ズームレンズのレンズ位置に対応するズーム倍率を取得する第１の倍率取得手段と、
前記第１の倍率取得手段により取得されたズーム倍率に従い、前記撮影手段の撮影により得られた画像データに電子ズーム処理を施すことにより、電子ズーム画像データを生成する第１の電子ズーム手段と、
前記第１の電子ズーム手段により生成された前記電子ズーム画像データが表す電子ズーム画像の少なくとも１つを画面に表示する第１の表示制御手段として機能させる
ことを特徴とするプログラム。
【発明の詳細な説明】
【技術分野】
【０００１】
本発明は、ズーム機能を備えた撮影装置、及びこの撮像装置に用いられるプログラムに関するものである。
【背景技術】
【０００２】
従来、ズーム機能を備えたカメラにおいては、ズーム倍率を増大させる方向に変化させる際に操作されるＴボタンと、ズーム倍率を減少させる方向に変化させる際に操作されるＷボタンとが設けられている。したがって、例えばＴボタンを操作すると、現在のズーム倍率よりも大きなズーム倍率が設定され、ズームモーターによりズームレンズが設定されたズーム倍率に対応するレンズ位置まで駆動され始める。このとき、モーターにより駆動されるズームレンズは、設定されたズーム倍率に対応するレンズ位置に到達するまでに、つまり光学ズーム処理を完了するまでに時間を要する。
【０００３】
このため、特許文献１に記載の技術においては、ユーザのズームボタンの操作によるズーム倍率設定に応答して、ズームレンズを駆動する光学ズーム処理を開始するのみならず、ライブビュー画像を前記設定されたズーム倍率に拡大する電子ズーム処理を実行する。そして、この電子ズーム処理により得られた設定ズーム倍率に対応する画像をモニタに表示する。
【０００４】
この間において、ズームモーターにより駆動さているズームレンズが設定されたズーム倍率に対応するレンズ位置に到達すると、電子ズーム処理により拡大した画像に代えて、光学ズーム処理により拡大したより明瞭な画像をモニタに表示する。
【０００５】
したがって、この技術によれば、ズームボタンの操作により指定されるズーム倍率に対応するレンズ位置へのズームレンズの移動が完了するまでの間は、電子ズーム処理により拡大された画像がモニタに表示される。これにより、ユーザは、光学ズーム処理の完了を待たずとも、所望のズーム倍率（画角）の画像の構図をモニタにて確認することができる。
【先行技術文献】
【特許文献】
【０００６】
【特許文献１】特開２００７−１６６４４７号公報
【発明の概要】
【発明が解決しようとする課題】
【０００７】
ところで、撮影に際しては意図する画角で被写体を撮影すべく、ユーザはＴボタン又はＷボタンを操作してズーム倍率を適宜設定変更する。そして、これに伴って画角が変化するモニタの画像を逐次確認しながら、最終的なズーム倍率（画角）を決定した後、シャッタボタンを操作して撮影を行う。
【０００８】
つまり、最終的に当該画角で撮影するまでには、設定ズーム倍率を変更する「画角変更作業」と、変更したズーム倍率よる画像を確認する「画像確認作業」とを遂行しつつ、いずれの画角で撮影すべきかを試行錯誤するのである。
【０００９】
しかるに、特許文献１に記載の技術においては、ズームボタンの操作により設定された当該ズーム倍率（画角）の画像のみモニタに表示するにすぎない。したがって、変更したズーム倍率よる画像を確認する「画像確認作業」を遂行するためには、これに先行して設定ズーム倍率を変更する「画角変更作業」を行わなければならない。
【００１０】
したがって、ユーザにおいて撮影しようとする画像の画角に迷いがあったり、より画像の芸術性等を高めるべく画像の画角に固執すると、撮影が実行されるまでに「画角変更作業」と「画像確認作業」とが繰り返し行われる場合が生ずる。このとき、「画角変更作業」に伴って、ズームモーターによるズームレンズの駆動が行われることから、「画角変更作業」が繰り返されてズームモーターが動作することにより、多くの電力が消費されてしまう。
【００１１】
本発明は、かかる従来の課題に鑑みてなされたものであり、ユーザが変更した種々のズーム倍率よる画像を確認しながら撮影を遂行する際に消費される電力を低減することのできる撮影装置及びこれに用いられるプログラムを提供することを目的とするものである。
【課題を解決するための手段】
【００１２】
前記課題を解決するため本発明に係る撮影装置は、画像を撮影して、撮影した画像を表す画像データを得る撮影手段と、ズームレンズを移動させることにより、前記撮影手段が撮影する画像のズーム倍率を変化させる光学ズーム手段と、前記ズームレンズが停止した際における当該ズームレンズのレンズ位置に対応するズーム倍率を取得する第１の倍率取得手段と、前記第１の倍率取得手段により取得されたズーム倍率に従い、前記撮影手段の撮影により得られた画像データに電子ズーム処理を施すことにより、電子ズーム画像データを生成する第１の電子ズーム手段と、前記第１の電子ズーム手段により生成された前記電子ズーム画像データが表す電子ズーム画像の少なくとも１つを画面に表示する第１の表示制御手段とを備えることを特徴とする。
【００１３】
また、本発明に係るプログラムは、画像を撮影して、撮影した画像を表す画像データを得る撮影手段と、ズームレンズを移動させることにより、前記撮影手段が撮影する画像のズーム倍率を変化させる光学ズーム手段とを備える撮像装置が有するコンピュータを、前記ズームレンズが停止した際における当該ズームレンズのレンズ位置に対応するズーム倍率を取得する第１の倍率取得手段と、前記第１の倍率取得手段により取得されたズーム倍率に従い、前記撮影手段の撮影により得られた画像データに電子ズーム処理を施すことにより、電子ズーム画像データを生成する第１の電子ズーム手段と、前記第１の電子ズーム手段により生成された前記電子ズーム画像データが表す電子ズーム画像の少なくとも１つを画面に表示する第１の表示制御手段として機能させることを特徴とする。
【発明の効果】
【００１４】
本発明によれば、ユーザが変更した種々のズーム倍率よる画像を確認しながら撮影を遂行する際に消費される電力を低減することができる。
【図面の簡単な説明】
【００１５】
【図１】本発明の一実施の形態を適用したデジタルカメラの背面図である。
【図２】同デジタルカメラの電気的構成を示す回路ブロック図である。
【図３】同デジタルカメラの機能の要部を示す機能ブロック図である。
【図４】同デジタルカメラにおけるＣＰＵの処理手順を示すフローチャートである。
【図５】（Ａ）はユーザが目標ズーム倍率を決定すべくズーム操作を行っている状態１におけるレンズ位置の例を示す説明図、（Ｂ）は対応するモニタの表示例を示す説明図である。
【図６】（Ａ）は状態１に続きユーザが目標ズーム倍率を決定すべくズーム操作を行っている状態２におけるレンズ位置の例を示す説明図、（Ｂ）は対応するモニタの表示例を示す説明図である。
【図７】（Ａ）は状態２の後に目標ズーム倍率（７倍）が決定され、目標ズーム倍率に対応するレンズ位置へとズームレンズが移動する状態３におけるレンズ位置の例を示す説明図、（Ｂ）は対応するモニタの表示例を示す説明図である。
【図８】（Ａ）は状態３に引き続き、目標ズーム倍率に対応するレンズ位置へとズームレンズが移動する状態４におけるレンズ位置の例を示す説明図、（Ｂ）は対応するモニタの表示例を示す説明図である。
【図９】（Ａ）は状態４の後、当初の目標ズーム倍率（７倍）に対応するレンズ位置へとズームレンズが移動する前に、ズーム倍率が１０倍に変更された状態におけるレンズ位置の例を示す説明図、（Ｂ）は対応するモニタの表示例を示す説明図である。
【発明を実施するための形態】
【００１６】
以下、本発明の一実施の形態を図に従って説明する。図１は、本発明の一実施の形態を適用したデジタルカメラ１の外部構成を示す背面図である。デジタルカメラ１のボディ上面部には、シャッタボタン２が配設されている。デジタルカメラ１の背面部には、ズームボタン３とモニタ４とが配設されている。
【００１７】
ズームボタン３はシーソー式であって、ズーム倍率を増大させる際に押下されるＴボタン部３０１と、ズーム倍率を減少させる際に押下されるＷボタン部３０２とを備えている。また、ズームボタン３は、常時は中立位置に弾持されてオフを維持し、各ボタン部３０１、３０２が押下されている状態においてオンとなるスイッチ機構を備えている。
【００１８】
なお、ズームボタン３は、シーソー式に限らず、常時は中立位置に弾持されてオフを維持するスライド式や、ＴボタンとＷボタンと個別に設けられた個別式等であってもよい。
【００１９】
モニタ４は、ＬＣＤ（Liquid Crystal Display）であって単一の表示画面を有するものであるが、後述する処理により、メイン表示エリア４０４と第１サブ表示エリア４０１、第２サブ表示エリア４０２、第３サブ表示エリア４０３とに画面分割される。メイン表示エリア４０４は、モニタ４の全表示エリアに対して２／３程度を占め、サブ表示エリア４０１〜４０３は、残る１／３程度のエリアを更に１／３ずつ上下方向に画面分割した領域からなる。
【００２０】
なお、デジタルカメラ１のボディには、通常デジタルカメラに設けられるべき図示しない各種ボタン、キー等が設けられている。
【００２１】
図２は、デジタルカメラ１の電気的構成を示す回路ブロック図である。このデジタルカメラ１は、ＡＥ（Auto Exposure）、ＡＷＢ（Auto White Balance）、ＡＦ（Auto Focus）等の一般的な機能を有するものである。すなわち、レンズブロック１１には、ズームレンズ１１１や図示しないフォーカスレンズ等の光学系、及び光学系を駆動するための駆動機構が含まれている。前記ズームレンズ１１１は、駆動機構に設けられているズームモーター１２によって光軸方向に駆動される。
【００２２】
デジタルカメラ１全体を制御するＣＰＵ（Central Processing Unit）１３には、バス１４及びタイミング発生器（ＴＧ：Timing Generator）１５を介してモータードライバ１６が接続されている。モータードライバ１６は、ユーザの操作に応じたＣＰＵ１３の命令に従いタイミング発生器１５が発生するタイミング信号に基づき、ズームモーター１２を駆動する。これにより、ズームレンズ１１１が駆動されて、そのレンズ位置が変化する。
【００２３】
このとき、ＣＰＵ１３は、自己が発生する命令を記憶して管理している。したがって、ＣＰＵ１３は、自己が発生する命令を記憶して管理することにより、自己が発生する命令によりタイミング発生器１５が発生するタイミング信号に応じて変化するズームレンズ１１１のレンズ位置を取得することができる。
【００２４】
また、図示は省略するが、実際には、フォーカスレンズを駆動するためのフォーカスモーター及びモータードライバや、メカシャッタやメカ絞り及びそれらを駆動するためのモーターを有する駆動機構等が設けられている。
【００２５】
また、デジタルカメラ１は、撮像素子としてＣＣＤ（Charge Coupled Device）１８を有している。ＣＣＤ１８は、レンズブロック１１の光軸上に配置されている。被写体は、レンズブロック１１によってＣＣＤ１８の受光面に結像される。ＣＣＤ１８は、ＣＰＵ１３の命令に従いタイミング発生器１５が生成するタイミング信号に基づき垂直及び水平ドライバ１９によって駆動され、被写体の光学像に応じたアナログの撮像信号をユニット回路２０に出力する。ユニット回路２０は、ＣＣＤ１８の出力信号に含まれるノイズを相関二重サンプリングによって除去するＣＤＳ（Correllated Double Sampling）回路や、ノイズが除去された撮像信号をデジタル信号に変換するＡ／Ｄ（Analog/Digital）変換器等から構成され、デジタル信号をＤＳＰ（Digital Signal Processor）２１へ出力する。
【００２６】
ＤＳＰ２１は、ユニット回路２０から出力されたデジタル信号に対しペデスタルクランプやオートホワイトバランス等の各種画像処理を施すことにより、輝度（Ｙ）信号及び色差（ＵＶ）信号からなる画像データを生成する。ＤＳＰ２１で変換された画像データは順次ＳＤＲＡＭ（Synchronous Dynamic Random Access Memory）２２に格納されるとともに、ＲＥＣ（Record）ライブビュー・モードでは１フレーム分のデータ（画像データ）が蓄積される毎にビデオ信号に変換され、液晶の前記モニタ４へ送られてライブビュー画像として画面表示される。
【００２７】
そして、静止画撮影モードにおいては、シャッタボタン操作をトリガとして、ＣＰＵ１３は、ＣＣＤ１８、垂直及び水平ドライバ１９、ユニット回路２０、及びＤＳＰ２１に対してライブビュー画撮影モードから静止画撮影モードへの切り替えを指示し、この静止画撮影モードによる撮影処理により得られ、ＳＤＲＡＭ２２に一時記憶された画像データは、ＣＰＵ１３により圧縮され、最終的には所定のフォーマットの静止画ファイルとして外部メモリ２５に記録される。また、ムービー録画モードにおいては、１回目のシャッタボタンと２回目のシャッタボタン操作との間に、ＳＤＲＡＭ２２に順次記憶される複数の画像データがＣＰＵ１３により順次圧縮され、動画ファイルとして外部メモリ２５に記録される。この外部メモリ２５に記録された静止画ファイル及び動画ファイルは、ＰＬＡＹ・モードにおいてユーザの選択操作に応じてＣＰＵ１３に読み出されるとともに伸張され、画像データとしてＳＤＲＡＭ２２に展開された後、画像データに基づく画像がモニタ４に表示される。
【００２８】
フラッシュメモリ２６には、ＣＰＵ１３に前記各部を制御させるための各種のプログラム、例えばＡＥ、ＡＦ、ＡＷＢ制御用のプログラムや、データ通信用プログラム、後述するフローチャートに示す処理を実行するためのプログラム等の各種のプログラムが格納されている。また、フラッシュメモリ２６には、ズームレンズ１１１のレンズ位置と光学的ズーム倍率との関係も記憶されている。したがって、ＣＰＵ１３は、前述のようにしてズームレンズ１１１のレンズ位置を取得し、フラッシュメモリ２６に記憶されているレンズ位置と光学的ズーム倍率との関係を参照することにより、ズームレンズ１１１のレンズ位置に対応するズーム倍率を取得することも可能である。
【００２９】
また、デジタルカメラ１は、前記シャッタボタン２、ズームボタン３等の複数の操作キー及びスイッチを含むキー入力部２７を有している。キー入力部２７は、ユーザによっていずれかの操作キーが操作されると、その操作内容に応じた操作信号をＣＰＵ１３へ供給する。
【００３０】
なお、モニタ４には、タッチパネル３２が積層されている。タッチパネル３２は、モニタ４上におけるユーザのタッチ位置を検出し、検出したタッチ位置を示す信号をＣＰＵ１３に供給する。
【００３１】
図３は、本実施の形態に係るデジタルカメラ１の機能の要部を示す機能ブロック図である。図３において、撮影部５２は、画像を撮影して、撮影した画像を表す画像データを得るものである。撮影部５２は、図２の回路図において、ＣＣＤ１８、ユニット回路２０、及びＤＳＰ２１により実現される。
【００３２】
光学ズーム部５１は、ズームレンズを備え、ズームレンズを移動させることにより、撮影部５２が撮影する画像のズーム倍率を変化させる。より詳しくは、光学ズーム部５１は、撮影部５２が撮影する画像のズーム倍率を最小にする下限位置と、撮影部５２が撮影する画像のズーム倍率を最大にする上限位置との間でズームレンズの位置であるレンズ位置を変化させ、これにより撮影部５２が撮影する画像のズーム倍率を変化することになる。光学ズーム部５１は、図２の回路図において、ズームレンズ１１１、ズームモーター１２、モータードライバ１６及びタイミング発生器１５により実現される。
【００３３】
第１倍率取得部５５は、光学ズーム部５１が停止した際におけるズームレンズのレンズ位置に対応するズーム倍率を取得する。第１倍率取得部５５は、図２の回路図において、モータードライバ１６にタイミング信号を発生するタイミング発生器１５を制御しているＣＰＵ１３により実現される。
【００３４】
第１電子ズーム部５６は、第１倍率取得部５５により取得されたズーム倍率に従い、撮影部５２の撮影により得られた画像データに電子ズーム処理を施すことにより、電子ズーム画像を表す電子ズーム画像データを生成する。したがって、第１電子ズーム部５６は、撮影部５２の撮影により得られた画像データを構成する画素を間引きする電子ズーム縮小処理、又は撮影部５２の撮影により得られた画像データを構成する画素を補間する電子ズーム拡大処理とを行う。これら電子ズーム縮小処理と電子ズーム拡大処理とを総称して、電子ズーム処理という。
【００３５】
これにより、第１電子ズーム部５６は、撮影部５２の撮影により得られた画像データから、第１倍率取得部５５により取得されたズーム倍率に対応する電子ズーム画像を生成することとなる。つまり、撮影部５２の撮影により得られた画像データを構成する画素を、電子ズーム処理により、間引き又は補間処理して得られたデータが電子ズーム画像データである。この電子ズーム画像データにより表される画像が、電子ズーム画像である。第１電子ズーム部５６は、図２の回路図において、ＣＰＵ１３により実現される。
【００３６】
第１表示制御部５７は、第１電子ズーム部５６により生成された前記電子ズーム画像の少なくとも１つを表示部５４に表示する。第１表示制御部５７は、図２の回路図において、ＣＰＵ１３により実現される。表示部５４は、図２の回路図におけるモニタ４により実現される。
【００３７】
また、第１表示制御部５７は、前記電子ズーム画像とともに、撮影部５２により得られた画像データにより表されるライブビュー画像を表示部５４に表示する。
【００３８】
操作部７１は、光学ズーム部５１を動作させる際、ユーザにより操作されるものである。操作部７１は、図２の回路図におけるキー入力部２７に設けられた図１に示すズームボタン３よりより実現される。検知部５８は、操作部７１に対するユーザの操作を検知する。検知部５８は、図２の回路図におけるタッチパネル３２及びＣＰＵ１３により実現される。
【００３９】
光学ズーム部５１は、検知部５８による操作部７１の操作検知に応答して、ズームレンズのレンズ位置を変化させる。このとき、第１倍率取得部５５は、検知部５８より操作部７１の操作が検知されない状態となったときにおける、ズームレンズのレンズ位置に対応するズーム倍率を取得する。
【００４０】
なお、第１倍率取得部５５は、検知部５８より前記所定操作が検知されない状態となってから規定の時間が経過したときにおける、レンズ位置に対応するズーム倍率を取得するものであってもよい。
【００４１】
表示部５４は、複数種のズーム倍率に対応する電子ズーム画像を表示する所定数の表示領域を備える。
【００４２】
倍率指定部７０は、ユーザによるタッチに応答してズーム倍率を指定する。倍率指定部７０は、図２の回路図におけるタッチパネル３２とＣＰＵ１３とにより実現される。光学ズーム部５１は、倍率指定部７０により指定されたズーム倍率に対応する目標レンズ位置にズームレンズを移動させる。
【００４３】
つまり、倍率指定部７０により指定されたズーム倍率に対応するレンズ位置が光学ズーム部５１の目標レンズ位置である。
【００４４】
第２倍率取得部６１は、光学ズーム部５１のズームレンズが目標レンズ位置へ移動している状態において、レンズ位置に対応するズーム倍率を取得する。第２倍率取得部６１は、図２の回路図において、モータードライバ１６にタイミング信号を発生するタイミング発生器１５を制御しているＣＰＵ１３により実現される。倍率算出部６２は、第２倍率取得部６１により取得されたズーム倍率と、目標レンズ位置に対応するズーム倍率との間を分割したズーム倍率を算出する。倍率算出部６２は、図２の回路図におけるＣＰＵ１３により実現される。
【００４５】
第２電子ズーム部６３は、倍率算出部６２により算出されたズーム倍率に従い、撮影部５２の撮影により得られた画像データに電子ズーム処理を施すことにより、電子ズーム画像を表す電子ズーム画像データを生成する。第２表示制御部６４は、この第２電子ズーム部６３により生成された電子ズーム画像を表示部５４に表示する。第２電子ズーム部６３と第２表示制御部６４とは、共に図２の回路図におけるＣＰＵ１３により実現される。
【００４６】
さらに、倍率算出部６２は、前記下限位置又は上限位置とに対応するズーム倍率と、前記目標レンズ位置に対応するズーム倍率との間を分割したズーム倍率をも算出する。したがって、第２電子ズーム部６３は、この倍率算出部６２により算出されたズーム倍率に対応する電子ズーム画像も生成し、第２表示制御部６４は、この生成された電子ズーム画像をも表示部５４に表示する。
【００４７】
なお、図３の機能ブロック図において、制御部６５は、符号５５〜６４で示した各部、すなわち、第１倍率取得部５５、第１電子ズーム部５６、第１表示制御部５７、検知部５８、第２倍率取得部６１、倍率算出部６２、第２電子ズーム部６３、第２表示制御部６４で構成される。
【００４８】
次に、本実施の形態の動作について、図４のフローチャートに従って説明する。ＲＥＣライブビュー・モードを設定すると制御部６５は、プログラムに従って、このフローチャートに示す処理を開始する。具体的には、ＣＰＵ１３は、フラッシュメモリ２６に記憶されているプログラムに従って、このフローチャートに示す処理を開始する。先ず、制御部６５の第１表示制御部部５７は、モニタ４を画面分割する（ステップＳ１）。これにより、図１に示すように、モニタ４の表示画面は、メイン表示エリア４０４と第１サブ表示エリア４０１、第２サブ表示エリア４０２、第３サブ表示エリア４０３とに画面分割される。
【００４９】
次に、第１表示制御部５７は、分割したメイン表示エリア４０４にてのライブビュー画像の表示を開始する（ステップＳ２）。無論、このメイン表示エリア４０４に表示されるライブビュー画像は、現在のズーム倍率による光学ズーム画像である。
【００５０】
つまり、光学ズーム画像とは、ズームレンズ１１１により受光面に結像された画像に応じてＣＣＤ１８が出力した信号を、ＤＳＰ２１が変換することにより得られた画像データにより、モニタ４に表示される画像である。したがって、ユーザは、メイン表示エリア４０４に表示された光学ズームが画像であるライブビュー画像を見ることより、現在設定されているズーム倍率での画角を明瞭に確認することができる。
【００５１】
引き続き、制御部６５の検知部５８は、ズームボタン３の押下よるズーム操作が検知されたか否かを判断する（ステップＳ３）。制御部５８は、ズーム操作が検知されたならば、Ｔボタン部３０１又はＷボタン部３０２の操作に応じたズーム倍率を設定する。そして、光学ズーム部５１のズームレンズを設定したズーム倍率に対応するレンズ位置に移動させる（ステップＳ４）。具体的には、ＣＰＵ１３は、モータードライバ１６を制御してズームモーター１２を駆動し、ズームレンズ１１１を設定したズーム倍率に対応するレンズ位置に移動させる。
【００５２】
また、制御部６５の検知部５８は、ズーム操作を検知しなくなってから規定の時間が経過したか否かを判断する（ステップＳ５）。つまり、ユーザは、メイン表示エリア４０４にて、ズームレンズ１１１の移動に伴って画角が変化するライブビュー画像を観察する過程で、ズームボタン３の操作を一旦やめて、当該画角で撮影を行うべきか否かを試行錯誤する。したがって、制御部６５は、ステップＳ５でズーム操作を検知しなくなってから規定の時間が経過したか否かを判断することにより、ユーザが当該画角で撮影を行うべきか否かを試行錯誤していることを検出することができる。
【００５３】
なお、規定の時間としては例えば「１秒」を挙げることができるが、これに限定されるものではない。
【００５４】
また、本実施の形態においては、ズーム操作を検知しなくなってから規定の時間が経過したか否かにより、ユーザが当該画角で撮影を行うべきか否かを試行錯誤していることを検出するようにした。しかし、所定の操作の有無、例えば「試行錯誤用ボタン」を設けておき、当該ボタンが操作されたか否かにより、ユーザが当該画角で撮影を行うべきか否かを試行錯誤していることを検出するようにしてもよい。
【００５５】
このような構成であっても、ユーザが試行錯誤する際に前記ボタンを操作することにより、ボタン操作の有無に基づき、ユーザが当該画角で撮影を行うべきか否かを試行錯誤していることを検出することができる。
【００５６】
このように、ユーザが、当該画角で撮影を行うべきか否かを試行錯誤すべくズーム操作を規定の時間以上やめたならば、制御部６５は、サブ表示エリア４０１〜４０３に空きがあるか否かを判断する（ステップＳ６）。このとき、撮影開始直後であれば、全てのサブ表示エリア４０１〜４０３は空き状態にある。したがって、ステップＳ６の判断はＹＥＳとなり、制御部６５の第１倍率取得部５５は、このときのレンズ位置に対応するズーム倍率を取得する。すると、第１表示制御部５７は、この第１倍率取得部５５が取得したズーム倍率の電子ズーム画像をモニタのサブ表示エリアに倍率順に表示する（ステップＳ８）。
【００５７】
図５（Ａ）は、ユーザが目標ズーム倍率を決定すべくズーム操作を行っている状態１におけるレンズ位置の例を示す説明図である。図５（Ａ）において、矢示Ｐ１、Ｐ２、Ｐ３は、ズーム操作を規定の時間以上やめた時点におけるズームレンズ１１１のレンズ位置の例を示し、「×３」、「×５」、「×７」の各数値は、各レンズ位置Ｐ１、Ｐ２、Ｐ３に対応するズーム倍率を示す。
【００５８】
なお、「×１」の数値は、撮影部５２が、撮影する画像のズーム倍率を最小にする下限位置に対応するズーム倍率であって、ズームレンズ１１１の初期位置に対応するズーム倍率を示す。また、「×２０」の数値は、撮影部５２が、撮影する画像のズーム倍率を最大にする上限位置に対応するズーム倍率であって、ズームレンズ１１１の最終位置に対応するズーム倍率を示す。
【００５９】
したがって、例えば図５（Ａ）に矢示Ｐ１に示すように、このときのレンズ位置に対応する光学ズーム倍率が「×３（３倍）」であったとすると、同図（Ｂ）に例示すように、第１サブ表示エリア４０１に、倍率３倍の電子ズーム画像ＤＺ３が表示されることとなる。ここで、電子ズーム画像の倍率は、倍率が１倍である前記光学ズーム画像を基準として、この倍率が１倍である光学ズーム画像に対する拡大倍率を示す値である。また、レンズ位置とは、撮影部５２が撮影する画像のズーム倍率を最小にする下限位置から、撮影部５２が撮影する画像のズーム倍率を最大にする上限位置間である可動域におけるズームレンズ１１１の存在位置である。
【００６０】
次に、制御部６５の検知部５８は、ズーム倍率を指定する操作を検知したか否かを判断する（ステップＳ９）。ここで、ズーム倍率を指定する操作とは、ユーザがサブ表示エリア４０１〜４０３をタッチする操作である。
【００６１】
したがって、具体的にはＣＰＵ１３が、タッチパネル３２からのタッチ位置を示す信号に基づき、ユーザがサブ表示エリア４０１〜４０３のいずれかにタッチしたか否かを判断し、タッチしたと判断した場合には、ユーザによるズーム倍率を指定する操作を検知したものと断定する。よって、ユーザがいずれのサブ表示エリア４０１〜４０３にもタッチしない間は、ステップＳ９の判断がＮＯとなって、制御部６５はステップＳ３からの処理を繰り返す。
【００６２】
このステップＳ３〜Ｓ９の各処理が繰り返されている状態において、ユーザはズームボタン３の押下と押下解除とを行って、ズームレンズ１１１の一時停止を行いつつ、画角に関して試行錯誤する。
【００６３】
図５（Ｂ）は、同図（Ａ）に対応するモニタ４の表示例を示す説明図である。例えば、図５（Ａ）の矢示Ｐ２に示すように、ズームレンズ１１１が５倍に対応するレンズ位置に移動したときに、ユーザがズームボタン３の押下をやめてズーム操作を規定の時間以上一時停止させたとする。すると、前記ステップＳ８の処理が実行されることより、同図（Ｂ）に例示するように、第２サブ表示エリア４０２に倍率５倍の電子ズーム画像ＤＺ５、つまり倍率５倍の光学ズーム画像に相当する電子ズーム画像が表示されることとなる。
【００６４】
また、例えば図５（Ａ）の矢示Ｐ３に示すように、ズームレンズ１１１が７倍に対応するレンズ位置に移動したときに、ズームボタン３の押下をやめてズーム操作を規定の時間以上一時停止させたとする。すると、前記ステップＳ８の処理が実行されることより、同図（Ｂ）に例示するように、第３サブ表示エリア４０３に倍率７倍の電子ズーム画像ＤＺ７、つまり倍率７倍の光学ズーム画像に相当する電子ズーム画像が表示されることとなる。
【００６５】
したがって、サブ表示エリア４０１〜４０３の各々に倍率３倍の電子ズーム画像ＤＺ３、倍率５倍の電子ズーム画像ＤＺ５、倍率７倍の電子ズーム画像ＤＺ７が表示されて、サブ表示エリア４０１〜４０３に空きがない状態となる。
【００６６】
図６（Ａ）は、前記図５（Ａ）の状態１に続き、ユーザが、目標ズーム倍率を決定すべく、ズーム操作を行っている状態２におけるレンズ位置の例を示す説明図である。図６（Ａ）において新たに加えられた矢示Ｐ４、Ｐ５は、ユーザが、ズーム操作を規定の時間以上やめた時点におけるズームレンズ１１１のレンズ位置を示し、「×１０」、「×１２」の数値は、各レンズ位置Ｐ４、Ｐ５に対応するズーム倍率を示す。
【００６７】
そして、例えばユーザが、さらに図６（Ａ）の矢示Ｐ４に示すように、ズームレンズ１１１が１０倍に対応するレンズ位置に移動したときに、ズームボタン３の押下をやめてズーム操作を、規定の時間以上一時停止させたとする。すると、制御部６５が、ステップＳ５からステップＳ６に処理を進めた際、ステップＳ６でＮＯと判断する。したがって、制御部６５は、ステップＳ６からステップＳ７に進んで、最も古い電子ズーム画像を消去する。
【００６８】
ここで、最も古い電子ズーム画像とは、サブ表示エリア４０１〜４０３に表示された電子ズーム画像の中で、最先に表示された電子ズーム画像である。
【００６９】
図６（Ｂ）の例において最も古い電子ズーム画像は、第１サブ表示エリア４０１に表示されている倍率３倍の電子ズーム画像ＤＺ３である。したがって、ステップＳ７での処理により倍率３倍の電子ズーム画像ＤＺ３が消去される。しかる後に、前述したステップＳ８の処理が実行され、サブ表示エリア４０１〜４０３に倍率順に電子ズーム画像が表示される。
【００７０】
よって、限られた表示面積からなるモニタ４に、試行錯誤に際して有効な、より新たな倍率の電子ズーム画像を表示させることができる。
【００７１】
ユーザが例えばさらに図６（Ａ）の矢示Ｐ５に示すように、ズームレンズ１１１が１２倍に対応するレンズ位置に移動したときに、ズームボタン３の押下をやめてズーム操作を規定の時間以上一時停止させたとする。すると、制御部６５はステップＳ５からステップＳ６に進んだ際、ステップＳ６でＮＯと判断する。したがって、制御部６５はステップＳ６からステップＳ７に進んで、最も古い電子ズーム画像を消去する。
【００７２】
この時点において、図６（Ｂ）の例における最も古い電子ズーム画像は、第１サブ表示エリア４０１に表示されている倍率５倍の電子ズーム画像ＤＺ５である。したがって、ステップＳ７での処理により倍率５倍の電子ズーム画像ＤＺ５が消去される。しかる後に、前述したステップＳ８の処理が実行される。
【００７３】
このとき、ステップＳ７に続くステップＳ８では、電子ズーム画像をモニタ４のサブ表示エリア４０１〜４０３に倍率順に表示させる。
【００７４】
図６（Ｂ）は、図６（Ａ）に対応するモニタ４の表示例を示す説明図である。ステップＳ８の処理が実行されると、図６（Ｂ）に示すように、サブ表示エリア４０１〜４０３の各々に倍率７倍の電子ズーム画像ＤＺ７、倍率１０倍の電子ズーム画像ＤＺ１０、倍率１２倍の電子ズーム画像ＤＺ１２が表示された状態となる。
【００７５】
また、ユーザが再度ズームボタン３の押下を行って、ズームレンズ１１１が図６（Ａ）の矢示Ｐ６に示す「１５倍」のレンズ位置にあるとする。すると、同図（Ｂ）に例示するように、メイン表示エリア４０４にはライブビュー画像として現在のズーム倍率１５倍である光学ズーム画像ＯＺ１５が表示されている。しかし、サブ表示エリア４０１〜４０３の各々には、倍率７倍の電子ズーム画像ＤＺ７、倍率１０倍の電子ズーム画像ＤＺ１０、倍率１２倍の電子ズーム画像ＤＺ１２が表示されている。
【００７６】
したがって、現在のズーム倍率「１５倍」から、過去のズーム倍率「７倍」、「１０倍」、「１２倍」に対応するレンズ位置にズームレンズ１１１を再び移動させることなく、ユーザは、過去のズーム倍率「７倍」、「１０倍」、「１２倍」の画像、画角を確認することができる。
【００７７】
よって、ユーザにおいて、撮影しようとする画像の画角に迷いがあったり、より画像の芸術性等を高めるべく画像の画角に固執した場合であっても、「画角変更作業」と「画像確認作業」とが繰り返し行う必要がない。このため、「画角変更作業」に伴って、ズームモーター１２によるズームレンズ１１１の駆動が行われたり、これにより多くの電力が消費されてしまうこともない。その結果、ユーザが、変更した種々のズーム倍率よる画像を確認しながら撮影を遂行する際に、消費される電力を低減することができる。
【００７８】
そして、例えば図６（Ｂ）に示す状態で、ユーザが、第１サブ表示エリア４０１にタッチしたとすると、ステップＳ９の判断がＹＥＳとなる。したがって、制御部６５は、ステップＳ９からステップＳ１０に処理を進めて、指定されたズーム倍率を目標ズーム倍率として決定する。これにより、図６（Ａ）に示す例では目標ズーム倍率「倍率７倍」が決定される。
【００７９】
つまり、ステップＳ１０で決定される目標ズーム倍率とは、ユーザが試行錯誤の結果、サブ表示エリア４０１〜４０３に表示されている画像から選択した画像の画角に対応する所望のズーム倍率である。
【００８０】
よって、ユーザは、所望の画角からなる画像にタッチする簡単な操作により、試行錯誤の結果に基づくズーム倍率を決定することができる。
【００８１】
引き続き制御部６５は、光学ズーム部５１を制御して、新たに決定（変更）された目標ズーム倍率に対応するレンズ位置へとズームレンズ移動させる（ステップＳ１１）。具体的には、ＣＰＵ１３は、モータードライバ１６を制御してズームモーター１２を駆動し、新たに決定（変更）された目標ズーム倍率に対応するレンズ位置へとズームレンズ１１１移動させる。
【００８２】
図７（Ａ）は、前記図６（Ａ）の状態２の後に目標ズーム倍率（７倍）が決定され、目標ズーム倍率に対応するレンズ位置へとズームレンズが移動する状態３におけるレンズ位置の例を示す説明図である。図６（Ａ）において矢示Ｐ６はズームレンズ１１１の現在のレンズ位置を示し、Ｐ７は目標ズーム倍率に対応するレンズ位置を示す。また、「×１５」、「×７」の数値は、各レンズ位置Ｐ６、Ｐ７に対応するズーム倍率を示す。
【００８３】
ステップＳ１１の処理が行われることにより、ズームレンズ１１１は、図７（Ａ）に矢示Ｐ６で示す現在のレンズ位置（×１５）から、矢示Ｐ７で示す目標ズーム倍率（７倍（×７））に対応するレンズ位置移動していく。
【００８４】
なお、「×１１」の数値は、現在の光学ズーム倍率と目標ズーム倍率との差分を均等に分割するズーム倍率を示す。また、「×４」の数値は、光学ズーム倍率の下限（１倍）と目標ズーム倍率との差分を均等に分割するズーム倍率を示す。
【００８５】
次に、制御部６５の第２倍率取得部６０は現在の光学ズーム倍率、つまりズームレンズ１１１の現在のレンズ位置に対応するズーム倍率を取得し、倍率算出部６２はこの取得した光学ズーム倍率と目標ズーム倍率との差分を均等に分割するズーム倍率を算出する（ステップＳ１２）。つまり、図７（Ａ）の例のように、現在の光学ズーム倍率が１５倍であるとすると、目標ズーム倍率が７倍であることから、両者の差分は１５−７＝８となる。また、この差分「８」を均等に分割すると「４」である。したがって、均等に分割したズーム倍率は図７（Ａ）に示すように、７＋４＝１１であり、ステップＳ１２では「倍率１１倍」が算出される。
【００８６】
さらに、倍率算出部６２は、目標ズーム倍率と光学ズームの上限又は下限との差分を均等に分割するズーム倍率を算出する（ステップＳ１３）。
【００８７】
このステップＳ１３の処理に際しては、目標ズーム倍率が現在の光学ズーム倍率よりも小さい場合には、倍率算出部６２は、目標ズーム倍率と光学ズームの下限との差分を均等に分割するズーム倍率を算出する。また、これとは逆に、目標ズーム倍率が現在の光学ズーム倍率よりも大きい場合には、倍率算出部６２は、目標ズーム倍率と光学ズームの上限との差分を均等に分割するズーム倍率を算出する。
【００８８】
したがって、図７（Ａ）の例の場合、目標ズーム倍率が「７倍」で現在の光学ズーム倍率が「１５倍」であることから、倍率算出部６２は、目標ズーム倍率と現在の光学ズーム倍率との差分を均等に分割するズーム倍率を算出する。また、目標ズーム倍率は「７倍」であり光学ズームの下限は「１倍」であることから、差分は７−１＝６となる。また、この差分「６」を均等に分割すると「３」である。したがって、均等に分割したズーム倍率は図７（Ａ）に示すように、１＋３＝４であり、ステップＳ１２では「倍率４倍」が算出される。
なお、光学ズーム倍率とは、ズームレンズ１１１のレンズ位置に対応するズーム倍率である。
【００８９】
次に、制御部６５の電子ズーム部５５は、前記ステップＳ１１及びＳ１２で算出したズーム倍率の電子ズーム画像と目標ズーム倍率の電子ズーム画像とを生成して、サブ表示エリア４０１〜４０３に倍率順で表示する（ステップＳ１４）。したがって、このステップＳ１４での処理により、図７（Ｂ）に例示するように、サブ表示エリア４０１〜４０３の各々に倍率４倍の電子ズーム画像ＤＺ４、倍率７倍の電子ズーム画像ＤＺ７、倍率１１倍の電子ズーム画像ＤＺ１１が表示された状態となる。
【００９０】
引き続き、制御部６５は、ズームレンズの移動処理が完了したか否か、つまりズームレンズ１１１が目標ズーム倍率に対応するレンズ位置に到達したか否かを判断する（ステップＳ１５）。ズームレンズ１１１の移動処理が完了していなければ、制御部６５は、ズーム倍率を再度指定（変更）する操作を検知したか否かを判断する（ステップＳ９）。ここで、ズーム倍率を再度指定（変更）する操作も、前述したステップＳ９と同様に、ユーザがサブ表示エリア４０１〜４０３をタッチする操作である。
【００９１】
そして、ズームレンズの移動処理が未だ完了せず（ステップＳ１５；ＮＯ）、ズーム移動処理中であり、かつ、ズーム倍率を指定（変更）する操作も行われない（ステップＳ１６；ＮＯ）状態において、制御部６５はステップＳ１１〜Ｓ１６を各処理を繰り返す。
【００９２】
したがって、ユーザは、目標ズーム倍率に決定した後であっても、サブ表示エリア４０１〜４０３に表示された目標ズーム倍率の電子ズーム画像や、前記差分に応じた電子ズーム画像を視認しつつ、最終的な画角を再度試行錯誤することができる。
【００９３】
また、この間、ズームレンズ１１１は、ズームモーター１２により駆動されて、目標ズーム倍率方向（図７（Ａ）の例においては、７倍方向）に移動していく。
【００９４】
図８（Ａ）は、図７（Ａ）の状態３に引き続き、目標ズーム倍率に対応するレンズ位置へとズームレンズが移動する状態４における、レンズ位置の例を示す説明図である。図８（Ａ）において、矢示Ｐ８はズームレンズ１１１の現在のレンズ位置を示し、Ｐ７は目標ズーム倍率に対応するレンズ位置を示す。図８（Ｂ）は、図８（Ａ）の状態４に対応するモニタの表示例を示す説明図である。
【００９５】
前記目標ズーム倍率（７倍）方向に移動していくズームレンズ１１１が、移動に伴って図８（Ａ）の矢示Ｐ８に示す「１３倍」のレンズ位置に到達すると、同図（Ｂ）に示すように、メイン表示エリア４０４には現在のズーム倍率１３倍の光学ズーム画像ＯＺ１３がライブビュー画像として表示されることとなる。
【００９６】
そして、ステップＳ１２では現在のズーム倍率と目標ズーム倍率との差分を均等に分割するズーム倍率を算出する。つまり、現在の光学ズーム倍率が１３倍であるとすると、目標ズーム倍率が７倍であることから、両者の差分は１３−７＝６となる。また、この差分「６」を均等に分割すると「３」である。したがって、均等に分割したズーム倍率は図８（Ａ）に示すように、７＋３＝１０であり、ステップＳ１２では「倍率１０倍」が算出される。また、ステップＳ１３では前述と同様に「倍率４倍」が算出される。
【００９７】
したがって、例えばこのステップＳ１４での処理により、図８（Ｂ）に示すように、例えばサブ表示エリア４０１〜４０３の各々に、倍率４倍の電子ズーム画像ＤＺ４、倍率７倍の電子ズーム画像ＤＺ７、倍率１０倍の電子ズーム画像ＤＺ１０が表示された状態となる。つまり、サブ表示エリア４０１、４０３の倍率４倍の電子ズーム画像ＤＺ４と倍率７倍の電子ズーム画像ＤＺ７とはそのまま表示され続けられ  るが、第２サブ表示エリア４０３の画像が、ズームレンズ１１１の現在のレンズ位置の変化に伴って、倍率１１倍の電子ズーム画像ＤＺ１１から倍率１０倍の電子ズーム画像ＤＺ１０へと変化する。
【００９８】
したがって、ユーザは、目標ズーム倍率に決定した後において、ズームレンズ１１１の移動に伴って変化するサブ表示エリア４０３の電子ズーム画像を視認しつつ、最終的な画角を試行錯誤することもできる。
【００９９】
そして、例えば図８（Ｂ）に示す状態で、ユーザが、第３サブ表示エリア４０３にタッチしたとすると、ステップＳ１６の判断がＹＥＳとなる。したがって、制御部６５は、ステップＳ１６からステップＳ１０に戻って、指定されたズーム倍率を目標ズーム倍率に決定する。これにより、目標ズーム倍率「倍率１０倍」が決定されることとなる。
【０１００】
引き続き制御部６５は、光学ズーム部５１を制御して、新たに決定（変更）された目標ズーム倍率に対応するレンズ位置へとズームレンズ移動させる（ステップＳ１１）。具体的には、ＣＰＵ１３は、モータードライバ１６を制御してズームモーター１２を駆動し、新たに決定（変更）された目標ズーム倍率に対応するレンズ位置へとズームレンズ１１１移動させる。
【０１０１】
図９（Ａ）は、図８（Ａ）の状態４の後、当初の目標ズーム倍率（７倍）に対応するレンズ位置へとズームレンズが移動する前に、ズーム倍率が１０倍に変更された状態における、レンズ位置の例を示す説明図である。図９（Ａ）において、矢示Ｐ８はズームレンズ１１１の現在のレンズ位置を示し、Ｐ９は変更後の目標ズーム倍率に対応するレンズ位置を示す。
【０１０２】
前記ステップＳ１１での処理により、ズームレンズ１１１は、例えば図９（Ａ）に矢示Ｐ８で示す現在のレンズ位置（×１３）から、矢示Ｐ９で示す目標ズーム倍率（１０倍（×１０））に移動していく。
【０１０３】
次に、制御部６５の倍率算出部６２は、現在のズーム倍率と目標ズーム倍率との差分を均等に分割するズーム倍率を算出する（ステップＳ１２）。つまり、例えば現在の光学ズーム倍率が１３倍であるとすると、目標ズーム倍率が１０倍であることから、両者の差分は１３−１０＝３となる。また、この差分「３」を均等に分割すると「１．５」である。したがって、均等に分割したズーム倍率は図７（Ａ）に示すように、１０＋１．５＝１１．５であり、ステップＳ１２では「倍率１１．５倍」が算出される。
【０１０４】
さらに、制御部６５の倍率算出部６２は、目標ズーム倍率と光学ズームの上限又は下限との差分を、均等に分割するズーム倍率を算出する（ステップＳ１３）。図９（Ａ）の例の場合、目標ズーム倍率（１０倍）が現在の光学ズーム倍率（１３倍）よりも小さいので、目標ズーム倍率と光学ズームの下限との差分を均等に分割するズーム倍率を算出する。つまり、目標ズーム倍率は「１０倍」であり光学ズームの下限は「１倍」であることから、差分は１０−１＝９となる。また、この差分「９」を均等に分割すると「４．５」である。したがって、均等に分割したズーム倍率は図９（Ａ）に示すように、１＋５．５＝５．５であり、ステップＳ１２では「倍率５．５倍」が算出される。
【０１０５】
次に、制御部６５の電子ズーム部５５は、前記ステップＳ１１及びＳ１２で算出したズーム倍率の電子ズーム画像と目標ズーム倍率の電子ズーム画像とを生成して、サブ表示エリアに倍率順で表示する（ステップＳ１４）。
【０１０６】
図９（Ｂ）は、図９（Ａ）の状態５に対応するモニタの表示例を示す説明図である。前記ステップＳ１４での処理により、図９（Ｂ）に示すように、サブ表示エリア４０１〜４０３の各々に倍率５．５倍の電子ズーム画像ＤＺ５．５、倍率１０倍の電子ズーム画像ＤＺ１０、倍率１１．５倍の電子ズーム画像ＤＺ１１．５が表示された状態となる。
【０１０７】
引き続き、制御部６５は、ズームレンズの移動処理が完了したか否か、つまりズームレンズが目標ズーム倍率に対応するレンズ位置に到達したか否かを判断する（ステップＳ１５）。ズームレンズ１１１の移動処理が完了して、ズームレンズ１１１が目標ズーム倍率に対応するレンズ位置に到達したならば、制御部６５はステップＳ３に戻る。
【０１０８】
そして、ズーム操作が検出されない場合には、シャッタボタン２の押下によるシャッタ操作が検出が検出されたか否かを判断する（ステップＳ１７）。シャッタボタン２の押下が検出されたならば、撮影処理を実行する（ステップＳ１８）。具体的には、ＣＰＵ１３は、シャッタボタン２の押下時点でＳＤＲＡＭ２２に記憶されている画像データを圧縮し、圧縮した画像データを静止画ファイルとして記録部６２である外部メモリ２５に記録して、処理を終了する。
【０１０９】
これにより、試行錯誤した結果最終的にユーザが決定した目標ズーム倍率の画角からなる画像を外部メモリ２５に記録することができる。
【０１１０】
しかも、本実施の形態においては、モニタ４に現在のズーム倍率からなる光学ズーム画像をライブビュー画像として表示しつつ、ユーザがズーム操作を規定の時間以上一時停止した際のズーム倍率に対応する電子ズーム画像を表示するようにした。よって、逐次変化するライブビュー画像の画角も参照しつつ、試行錯誤することもできる。
【０１１１】
なお、このように実施の形態においては、現在のズーム倍率からなる光学ズーム画像をライブビュー画像として表示しつつ、ユーザがズーム操作を規定の時間以上一時停止した際のズーム倍率に対応する電子ズーム画像を表示するようにした。しかし、ライブビュー画像を表示させることなく、ユーザがズーム操作を規定の時間以上一時停止した際のズーム倍率に対応する電子ズーム画像のみを表示させてもよく、この場合、複数のズーム倍率に対応する電子ズーム画像を表示させればよい。
【０１１２】
また、実施の形態においては、３種類のズーム倍率に対応する電子ズーム画像を表示させるようにしたが、表示させる電子ズーム画像はこれに限ることなく、より多くてもよい。また、現在のズーム倍率からなる光学ズーム画像をライブビュー画像として表示させるのであれば、ユーザがズーム操作を規定の時間以上一時停止した際のズーム倍率に対応するいずれか唯一の電子ズーム画像を表示させるようにしてもよい。
【０１１３】
また、実施の形態においては、ステップＳ１２で光学ズーム倍率と目標ズーム倍率との差分を均等に分割するズーム倍率を算出するようにした。しかし、光学ズーム倍率と目標ズーム倍率との差分を均等に分割することなく、光学ズーム倍率と目標ズーム倍率との間のズーム倍率を単に得るようにしてもよい。また、ステップＳ１３では、目標ズーム倍率と光学ズームの上限又は下限との差分を均等に分割するズーム倍率を算出するようした。しかし、この場合も、光学ズーム倍率と光学ズームの上限又は下限間のズーム倍率を単に得るようにしてもよい。
【符号の説明】
【０１１４】
１    デジタルカメラ
２    シャッタボタン
３    ズームボタン
４    モニタ
１１    レンズブロック
１２    ズームモーター
１３    ＣＰＵ
１５    タイミング発生器
１６    モータードライバ
１８    ＣＣＤ
１９    水平ドライバ
２０    ユニット回路
２１    画像処理部
２２    ＳＤＲＡＭ
２５    外部メモリ
２６    フラッシュメモリ
３２    タッチパネル
１１１    ズームレンズ
３０１    Ｔボタン部
３０２    Ｗボタン部
４０１〜４０３    サブ表示エリア
４０４    メイン表示エリア
【図１】
2011077862.tif 000003
【図２】
2011077862.tif 000004
【図３】
2011077862.tif 000005
【図４】
2011077862.tif 000006
【図５】
2011077862.tif 000007
【図６】
2011077862.tif 000008
【図７】
2011077862.tif 000009
【図８】
2011077862.tif 000010
【図９】
2011077862.tif 000011